(57)【特許請求の範囲】
【請求項１】
下部に排出管１１３を備え、飼料を詰める筒の形で形成された飼料筒１１０と、
前記飼料筒１１０の外面に放射状且つ垂直に設けられた所定個数のスライダー１１１と、
下部に前記飼料筒１１０の排出管１１３が挿入される排出管挿入口１２１を備えて前記飼料筒１１０が内部に挿入されるケース１２０と、
前記ケース１２０の内面に放射状且つ垂直に設けられた所定個数のガイド１２２と、
前記ガイド１２２の下部に設けられて飼料筒１１０のスライダー１１１の下端が接しながら飼料筒１１０と飼料の重さを測定する重量センサ１２３と、を含めて構成されたことを特徴とする、
飼料量測定装置。
【請求項２】
前記飼料筒１１０のボディの下部は、下方に向けて狭くなる傾斜面１１２を形成し、傾斜面１１２の下端に排出管１１３が構成されたことを特徴とする請求項１に記載の飼料量測定装置。
【請求項３】
前記排出管１１３の一側には、防ぐ板挿入口１１５が形成され、前記防ぐ板挿入口１１５に挿入される防ぐ板１１６を構成することにより、前記防ぐ板１１６を防ぐ板挿入口１１５に挿入し、排出管１１３を閉鎖するように構成されたことを特徴とする請求項１または２に記載の飼料量測定装置。
【請求項４】
前記スライダー１１１の断面は、
0006392472.tif 000006
形で形成され、前記ガイド１２２の断面は
0006392472.tif 000007
形で形成されることにより、スライダー１１１の突き出た凸部がガイド１２２の溝に挿入されて案内されるように構成されたことを特徴とする請求項１に記載の飼料量測定装置。
【請求項５】
前記スライダー１１１及びガイド１２２の対向面は、ラウンド型で形成され、前記スライダー１１１の突き出た凸部が前記ガイド１２２の溝に挿入されて案内されるように構成されたことを特徴とする請求項１に記載の飼料量測定装置。
【請求項６】
前記スライダー１１１及びガイド１２２の対向面は、角ばった形で形成され、前記スライダー１１１の突き出た凸部が前記ガイド１２２の溝に挿入されて案内されるように構成されたことを特徴とする請求項１に記載の飼料量測定装置。
【請求項７】
前記ケース１２０の下部には、センサ支持具１２４が設けられ、前記センサ支持具１２４が重量センサ１２３の下部を支持するように構成されたことを特徴とする請求項１に記載の飼料量測定装置。
【発明の詳細な説明】
【技術分野】
【０００１】
本発明は、飼料量測定装置に関するものであって、さらに詳しくは維持管理が容易であり、家畜の飼料摂取量をリアルタイムで自動測定し、飼料摂取量による家畜の成長発育管理と効率的な飼料管理を提供することができる重量センサを用いる飼料量測定装置に関するものである。
【背景技術】
【０００２】
一般的に、畜舎は、家畜管理の能率化と自然の気象から家畜を保護する二つの機能を有する。
【０００３】
従って、畜舎の要件は、位置、方向、通風、採光、換気、保温が良好で、飼料給与の周期、掃除、衛生管理に適切な設備が備えられるべきである。
【０００４】
前記畜舎の大きさや構造は、収容する家畜の種類や頭数によって単飼方式と群飼方式に大きく区別される。
【０００５】
単飼方式は、繁殖及び分娩用の家畜を収容する場合に使用され、群飼方式は、育成中の家畜または生産家畜（豚、乳牛など）を収容する場合に使用される。
【０００６】
最近は、多頭飼育の形の普及によって維持管理に必要な労働力を減少させる省力化を目的とした畜舎が増加しており、飼料量に関係なく、飼料を周期的に供給する飼料供給装置が提案されている。
【０００７】
図１は、従来技術による飼料供給装置を示した図面である。従来技術による飼料供給装置は、飼料１０ａが貯蔵された飼料筒１０と、多数の空間に区切られ家畜が居住する一定サイズの畜舎２０と、各畜舎２０に設けられた飼槽３０と、前記飼料筒１０に連結されて前記飼料筒１０に貯蔵された飼料１０ａが飼槽３０に供給されるように多数の分岐管４１が形成された配管４０と、を含めて構成される。
【０００８】
このような飼料供給装置は、自動化施設となって配管４０を通じて移動された飼料１０ａは、一定周期で管理者が飼料筒のバルブを人為的に開放したり、または自動的に開放して飼料１０ａが飼槽３０に投入されるようにすることで、家畜が飼料を摂取するようになっている。
【０００９】
一方、畜舎で飼育される家畜は、単一畜舎で飼育されているのではなく、大きさによって畜舎を移動することになる。
【００１０】
例えば、１〜６ケ月の家畜は、図２の（ａ）畜舎のように予め設定された頭数に応じて一定空間で形成された畜舎で飼育され、６〜１２ケ月の家畜は、（ｂ）畜舎のように（ａ）畜舎の空間より相対的に大きい畜舎で飼育され、１２ケ月以上の家畜は、（ｃ）畜舎のように（ｂ）畜舎の空間より相対的に大きい畜舎で飼育される。
【００１１】
畜舎の規模や飼育される家畜数によって異なるが、一般的に豚を飼育する豚舎の場合、１６軒の畜舎を経て飼育され、大型畜舎の場合、３２軒の畜舎を経て飼育されたりもする。
【００１２】
このような家畜の飼育過程で、水、畜舎の温度、飼料量を適切に調節することにより、家畜の成長と発育が最上の状態を維持できるようにする。
【００１３】
しかし、従来の飼料供給装置は、管理者個人の恣意的な予測によって飼料の供給量を一律的に定めて供給するので、家畜の状態に関係なく飼料が供給される。
【００１４】
つまり、図３のように、畜舎２０に設けられた飼槽３０にそれぞれ同一量の飼料１０ａが供給されると、家畜が供給された飼料１０ａを摂取することになるが、飼槽３０に供給された飼料１０ａが残る場合には、家畜の健康に異常が発生したのか、または飼料１０ａが過度に供給されたかどうかなど、如何なる理由で飼槽３０に飼料１０ａが残されたか分からない問題点がある。
【００１５】
また、飼槽３０に飼料１０ａが残った場合、これを常に掃除しなければならず、飼槽３０に残った飼料が腐敗する場合、畜舎内の衛生及び清潔状態が不良になる問題点がある。
【００１６】
また、家畜の飼育月齢に応じて適正量の飼料が供給されず過剰供給された場合には、飼料の追加購入による維持管理コストが増加する問題点がある。
【発明の概要】
【発明が解決しようとする課題】
【００１７】
本発明は、前記の問題点を解決するために案出したものであって、維持管理が容易であり、飼料筒に詰められた飼料の重さをリアルタイムで測定することで、飼料の摂取量による家畜の成長発育管理と効率的な飼料管理を提供することができる飼料量測定装置を提供することが本発明の目的である。
【課題を解決するための手段】
【００１８】
前記の目的を果たすために本発明による飼料量測定装置は、下部に排出管１１３を備え、飼料を詰める筒状で形成された飼料筒１１０と、前記飼料筒１１０の外面に放射状且つ垂直に設けられた所定個数のスライダー１１１と、下部に前記飼料筒１１０の排出管１１３が挿入される排出管挿入口１２１を備えて前記飼料筒１１０が内部に挿入されるケース１２０と、前記ケース１２０の内面に放射状且つ垂直に設けられた所定個数のガイド１２２と、前記ガイド１２２の下部に設けられて飼料筒１１０のスライダー１１１の下端が接しながら飼料筒１１０と飼料の重さを測定する重量センサ１２３とを含めて構成される。
【００１９】
この時、前記飼料筒１１０のボディの下部は、下方に向けて狭くなる傾斜面１１２を形成し、傾斜面１１２の下端に排出管１１３を構成することで、飼料筒１１０の内部に詰められた飼料が排出管１１３で円滑に排出され、飼料筒１１０に残る飼料なしで全ての飼料が排出管１１３に排出できるように構成する方が好ましい。
【００２０】
また、前記排出管１１３の一側には、防ぐ板挿入口１１５を形成し、前記防ぐ板挿入口１１５に挿入される防ぐ板１１６を構成することによって、前記防ぐ板１１６を防ぐ板挿入口１１５に挿入して排出管１１３を閉鎖するように構成する方が好ましい。
【００２１】
また、前記スライダー１１１の断面は
0006392472.tif 000002
形で形成され、前記ガイド１２２の断面は
0006392472.tif 000003
形で形成されることによって、スライダー１１１の突き出た凸部がガイド１２２の溝に挿入され、スライダー１１１がガイド１２２により安定的な案内になるように構成する方が好ましい。
【００２２】
また、前記スライダー１１１及びガイド１２２の対向面はラウンド型または角ばった形で形成され、前記スライダー１１１の突き出た凸部が前記ガイド１２２の溝に挿入されて案内されるように構成する方が好ましい。
【００２３】
また、前記ケース１２０の下部には、センサ支持具１２４を設けて、前記センサ支持具１２４が重量センサ１２３の下部を支持するように構成することによって、飼料筒１１０の内部に飼料がいっぱいになって重くなっても重量センサ１２３が破損されないように構成する方が好ましい。
【発明の効果】
【００２４】
前記のように構成された本発明による飼料量測定装置は、ケース１２０と飼料を詰める飼料筒１１０で構成され、使用過程である部分に故障が発生しても全体を取り替える必要なく、飼料筒１１０またはケース１２０のいずれかだけを取り替えれば良いので維持管理が容易であり、分解と組み立てが簡便であるため、迅速な取り替えができる長所がある。
【００２５】
また、本発明は、飼料筒１１０の重さを測定して飼料筒１１０に残った飼料量をリアルタイムでモニタリングすることにより、飼料の摂取量による家畜の成長発育を効果的に管理することができる長所がある。
【００２６】
また、本発明は、飼料筒に残った飼料量のモニタリングを通じて次に供給される飼料量を調節して効率的な飼料管理を提供することができる長所がある。
【図面の簡単な説明】
【００２７】
【図１】従来技術による飼料量測定装置を示した図面である。
【図２】家畜の月齢による畜舎の大きさを示した図面である。
【図３】従来技術による畜舎を示した図面である。
【図４】本発明による飼料量測定装置を示した斜視図である。
【図５】本発明による飼料量測定装置の構成を示した分解斜視図である。
【図６】本発明による飼料量測定装置の平断面を示した断面図である。
【図７】本発明のスライダー及びガイドの他の実施例の拡大図である。
【図８】本発明のスライダー及びガイドのまた他の実施例の拡大図である。
【図９】本発明の他の実施例のスライダー及びガイドが適用された平断面である。
【図１０】本発明のケースと飼料筒の結合構造を示した部分側断面図である。
【図１１】本発明の使用状態図
【発明を実施するための形態】
【００２８】
本発明の飼料量測定装置は、下部に排出管１１３を備え、飼料を詰める筒の形で形成された飼料筒１１０と、前記飼料筒１１０の外面に放射状且つ垂直に設けられた所定個数のスライダー１１１と、下部に前記飼料筒１１０の排出管１１３が挿入される排出管挿入口１２１を備えて前記飼料筒１１０が内部に挿入されるケース１２０と、前記ケース１２０の内面に放射状且つ垂直に設けられた所定個数のガイド１２２と、前記ガイド１２２の下部に設けられて飼料筒１１０のスライダー１１１の下端が接しながら飼料筒１１０と飼料の重さを測定する重量センサ１２３と、を含む。
【００２９】
以下では、本発明の好ましい実施例及び添付の図面を参照して本発明を詳しく説明するが、図面の同一参照符号は同一構成要素を指すと前提して説明する。
【００３０】
発明の詳細な説明、または特許請求の範囲において、いずれかの構成要素が他の構成要素を「含む」とする時、これは特に反対される記載がない限り、当該構成要素だけで構成されたものと限って解釈されず、他の構成要素を更に含むことができると理解すべきである。
【００３１】
以下では、本発明による飼料量測定装置が具現された一例を特定した実施例を通じて説明する。
【００３２】
図４に示した通り、本発明による飼料量測定装置は、円筒型のケース１２０と、前記ケース１２０の内部に挿入される円筒型の飼料筒１１０で構成される。
【００３３】
前記飼料筒１１０は、内部に飼料を詰めて畜舎２０の飼槽３０に飼料を供給し、前記ケース１２０は内部に前記飼料筒１１０が挿入されて飼料筒１１０を支持する役割を果たす。
【００３４】
前記飼料筒１１０は、図５に示した通り、上部と下部が開放された円筒型のボディが形成され、前記飼料筒１１０のボディの下部は飼料筒１１０が下方に向けて徐々に内径が狭くなるように傾斜面１１２が形成され、飼料筒１１０のボディの下端には飼料が排出されるパイプ状の排出管１１３が形成される。
【００３５】
そして、前記飼料筒１１０の下部に形成された排出管１１３には、防ぐ板１１６が一側方向で挿入される防ぐ板挿入口１１５が形成されることによって、防ぐ板１１６が前記防ぐ板挿入口１１５に挿入された時、飼料筒１１０の内部に詰められた飼料が排出口１１４に排出されないように防ぐ板１１６が排出口１１４を閉鎖する。
ここで、防ぐ板挿入口１１５は排出管１１３に着脱自在に結合することができ、ケース１２０からの離脱が容易になるようにそのサイズが調節される方が好ましい。
【００３６】
つまり、畜舎管理者が飼料筒１１０の防ぐ板挿入口１１５から防ぐ板１１６を取ると飼料筒１１０の内部に詰められた飼料が排出口１１４を通じて排出され、畜舎管理者が飼料筒１１０の防ぐ板挿入口１１５に防ぐ板１１６を差し込むと、前記防ぐ板が排出口１１４を閉鎖して排出口１１４に飼料が排出されることを遮断する。
【００３７】
前記飼料筒１１０のボディの下部は、下方に向けて徐々に内径が狭くなるように傾斜面１１２が形成されることによって、飼料筒１１０内部の飼料が排出口１１４に排出される時、前記傾斜面１１２によって飼料筒１１０の内部の飼料が排出口１１４に円滑に排出されるようにし、飼料筒１１０の内部に飼料が残存せずに全て排出できるようにする。
【００３８】
前記飼料筒１１０は、ケース１２０の内部に挿入されるが、飼料筒１１０の外面には放射状且つ垂直にスライダー１１１が形成されることにより、飼料筒１１０の直径より更に大きい直径で形成されたケース１２０の内部中心に飼料筒１１０が挿入されるように前記スライダー１１１が飼料筒１１０を案内する。
【００３９】
そして、前記飼料筒１１０が挿入されるケース１２０は、図５に示した通り、上・下部が開放された円筒型のボディが形成され、円筒型のボディの内部に垂直にガイド１２２が形成され、ケース１２０の下部は下方に向けて徐々に内径が狭くなる形で成形され、下端に飼料筒１１０の排出管１１３が挿入される排出管挿入口１２１が形成される。
【００４０】
前記ケース１２０の内部に飼料筒１１０が挿入される時、図６に示した通り飼料筒１１０の外面に放射状で形成されたスライダー１１１がケース１２０の内面に形成されたガイド１２２に接して飼料筒１１０がケース１２０の正確な中心位置に挿入されるように案内する役割を果たす。
【００４１】
本発明の実施例においては、前記スライダー１１１の断面を
0006392472.tif 000004
形で形成し、前記ガイド１２２は断面形態を
0006392472.tif 000005
形で形成することにより、スライダー１１１の突き出た凸部（未符号）がガイド１２２の溝(未符号)に挿入され、ガイド１２２がスライダー１１１を案内するように構成したが、他の形でガイド１２２がスライダー１１１を案内するように構成することもできる。つまり、図７及び８に示した通り、スライダー１１１及びガイド１２２の対向面をラウンド型または角ばった形で形成することができ、これにスライダー１１１の突き出た凸部（未符号）がガイド１２２の溝（未符号）に容易に挿入し得る。
また、このようにラウンド型または角ばった形で形成されたスライダー１１１及びガイド１２２は、飼料筒の外面に放射状で形成され、図９に示されたように４箇など多様な個数で形成することができる。
【００４２】
そして、ケース１２０には、飼料筒１１０の内部に詰められた飼料の重さを計測することができる手段が形成されるが、図１０に示した通り、ケース１２０のガイド１２２下部に重量センサ１２３を設け、前記重量センサ１２３がセンサ支持具１２４により支持されるように設ける。
【００４３】
飼料筒１１０に飼料がいっぱいになった場合、かなり重いためその重さによって重量センサ１２３とベースの結合部分が破損され得るので、図１０のようにセンサ支持具１２４が重量センサ１２３を安定的に支持するように構成する方が好ましい。
【００４４】
飼料筒１１０をケース１２０に挿入すると、スライダー１１１がケース１２０のガイド１２２により案内されて飼料筒１１０のスライダー１１１下端が重量センサ１２３の上面に接するようになる。
【００４５】
飼料筒１１０のスライダー１１１が重量センサ１２３に接すると、飼料筒１１０及び飼料筒１１０の内部に詰められた飼料の荷重が重量センサ１２３に伝われ、重量センサ１２３はこれを計測することにより、飼料筒１１０内部の飼料量を測定することができる。
【００４６】
前記のように構成された本発明の飼料量測定装置１００は、図１１に示した通り、各畜舎２０の飼槽３０に設けられることにより、飼料筒１１０に詰められた飼料を飼槽３０に手軽に供給する。
【００４７】
また、本発明の飼料量測定装置は、飼料筒１１０とケース１２０で構成されることにより、使用過程においてある部分に故障が発生すれば、簡単に飼料筒１１０とケース１２０を分離して修理し、または飼料筒１１０またはケース１２０のいずれかだけを取り替えれば良いので、維持管理が容易であり、分解と組み立てが簡便であるため、迅速な取り替えが可能である。
【００４８】
また、本発明は、飼料筒１１０の重さを測定して飼料筒１１０に残った飼料量をリアルタイムでモニタリングすることにより、飼料の摂取量による家畜の成長発育を効果的に管理することができ、また、本発明は飼料筒１１０に残った飼料量のモニタリングを通じて次に供給される飼料量を調節して効率的な飼料管理を提供することができる。
【００４９】
本発明の実施例においては、飼料筒１１０及びケース１２０を円筒型で構成したが、飼料筒１１０及びケース１２０は四角筒、三角筒など、様々な形で成形することができる。
【００５０】
つまり、飼料筒１１０の外面に形成されたスライダー１１１がケース１２０の内面に形成されたガイド１２２によって垂直に案内されることができれば、飼料筒１１０及びケース１２０はいずれの形態でも成形され得る。
【００５１】
以上、上述の実施例を通じて、本発明の技術的思想を調べてみた。
【００５２】
本発明が属する技術分野における通常の知識を有する者が本発明の記載事項から前記調べた実施例を多様に変形し、または変更できることは自明である。
【００５３】
また、たとえ明示的に図示されて、または説明されていないとしても本発明が属する技術分野における通常の知識を有する者が本発明の記載事項から本発明による技術的思想を含む様々な形の変形ができることは明らかであり、これは依然として本発明の権利範囲に属する。
【００５４】
添付する図面を参照して説明された前記の実施例は、本発明を説明するための目的で記述されたものであり、本発明の権利範囲はこれらの実施例に限られない。
【００５５】
本発明の飼料量測定装置は、家畜飼料量調節及び家畜成長発育モニタリングシステム等に利用されることができる
【符号の説明】
【００５６】
１００  飼料量測定装置
１１０  飼料筒
１１１  スライダー
１１２  傾斜面
１１３  排出管
１１４  排出口
１１５  防ぐ板挿入口
１１６  防ぐ板
１２０  ケース
１２１  排出管挿入口
１２２  ガイド
１２３  重量センサ
１２４  センサ支持具
【図１】
0006392472.tif 000008
【図２】
0006392472.tif 000009
【図３】
0006392472.tif 000010
【図４】
0006392472.tif 000011
【図５】
0006392472.tif 000012
【図６】
0006392472.tif 000013
【図７】
0006392472.tif 000014
【図８】
0006392472.tif 000015
【図９】
0006392472.tif 000016
【図１０】
0006392472.tif 000017
【図１１】
0006392472.tif 000018